(57)【特許請求の範囲】
【請求項１】
重量機器搭載ラックにおける枠体に取り付けたマウントレールを介してスライド支持機構により出し入れ自在に支持した、重量機器類の搭載面とラック正面に面する表面パネルとを有し、前記搭載面には、搭載すべき重量機器類の足部を載置する凹部を設け、この凹部には、重量機器類の足部を位置決め固定するための足固定ブラケットを調節可能に設け、前記重量機器類の搭載面を格納位置や、引き出し位置、その他、任意の位置で固定する一方、固定解除するためのロック機構を備え、前記表面パネルから前記搭載面にかけて、備品載せ台を出し入れを可能に構成したことを特徴とするプルアウトシェルフ。
【請求項２】
前記ロック機構は、表面パネルから突出形成したプッシュボタンにより軸方向に移動可能に取り付けた、長尺なプッシュロッドと、プッシュロッド先端に直交状態でねじ止めされた、幅狭のリンクプレートと、リンクプレート両端に当接して、リンクプレート両端によって押圧することにより、マウントレールから係合片を退動せしめてマウントレールに対する拘束を解除するようにした、係合機構とを有し、前記プッシュロッドは、搭載面の裏面側に中心軸に沿って、搭載面の裏面に設けたロッドブラケットを介して、表面パネル側から背面に向かって延在させ、前記リンクプレートと連結したことを特徴とする請求項１記載のプルアウトシェルフ。
【請求項３】
前記係合機構は、常時突出するように付勢された係合片を有し、この係合片を、前記リンクプレートによって、付勢力に抗して所定ストローク押し込み可能な押圧作動片を有して、この押圧作動片をリンクプレートによって押し込むことで、前記係合片を付勢力に抗してマウントレールに形成した係合切欠部から係合片を退動せしめてマウントレールに対する拘束を解除するようにし、前記マウントレールにおける係合切欠部は、すくなくともマウントレールの両端近傍に形成することを特徴とする請求項２記載のプルアウトシェルフ。
【請求項４】
前記係合切欠部は、マウントレールの中間部の適所に形成するようにしたことを特徴とする請求項３記載のプルアウトシェルフ。
【発明の詳細な説明】
【０００１】
【発明の属する技術分野】
本発明は、ＡＶ機器、測定器具等の重量機器類を、多段にわたって搭載できるようにした、プルアウトシェルフに関するものである。
【０００２】
【従来の技術】
従来、重量搭載物、例えばＡＶ機器、測定器具等の重量機器１類を、標準規格（ＥＩＡ規格等）に基づく１９インチラック２またはシステムコンソールに搭載する際には、図１５に示すようにガイドレール３、または図１６に示すように棚板４に重量機器１の後端を載せ、滑らせながら押し込み、前面側に設けられているラックマウント用穴を利用し、ラック２にビス止めしていた。
さらに、図１７に示すように重量機器１に直接スライド機構、すなわちスライドレール５におけるインナーメンバー５ａを取り付けると共に、ラック２側にアウターメンバー５ｂを取り付けて、ラック２に前記重量機器を装填するようにしていた。
【０００３】
【発明が解決しようとする課題】
このため、ラック２が狭い箇所にある場合や、搭載位置が極端に高い場合や低いときには、作業者は不安定な姿勢を強いられるため、作業性が著しく悪化することとなり、押し込むときに棚板４またはガイドレール３に傷が入ったり、金属粉がラック２の中に落ちたり、重量機器１のバランスを崩すと落下のおそれがある。
また、ビス止めのため、メンテナンスの度にビスを外し、引き出して床に一度置く必要があった。
一方、重量機器１に直接スライドレール５を取り付けた構造においても、重量機器１をラック２から取り外すときは、前述同様、手間と危険が伴う。また、取り付けの際はスライドレール５を合わせるのが困難で時にはスライドレール５を壊してしまうことがある。
本発明は以上のような不都合を改善するために提案されたものであって、ＡＶ機器、測定器具等の重量機器類を、容易にラック等に多段にわたって搭載できるようにすると共に、保守点検作業も容易な、プルアウトシェルフを提供することを目的とする。
【０００４】
【課題を解決するための手段】
前記した課題を解決するために、本発明では、請求項１において、重量機器搭載ラックにおける枠体に取り付けたマウントレールを介してスライド支持機構により出し入れ自在に支持した、重量機器類の搭載面とラック正面に面する表面パネルとを有し、前記搭載面には、搭載すべき重量機器類の足部を載置する凹部を設け、この凹部には、重量機器類の足部を位置決め固定するための足固定ブラケットを調節可能に設け、前記重量機器類の搭載面を格納位置や、引き出し位置、その他、任意の位置で固定する一方、固定解除するためのロック機構を備え、前記表面パネルから前記搭載面にかけて、備品載せ台を出し入れを可能に構成したプルアウトシェルフを提案する。
また本発明では、請求項２において、前記ロック機構は、表面パネルから突出形成したプッシュボタンにより軸方向に移動可能に取り付けた、長尺なプッシュロッドと、プッシュロッド先端に直交状態でねじ止めされた、幅狭のリンクプレートと、リンクプレート両端に当接して、リンクプレート両端によって押圧することにより、マウントレールから係合片を退動せしめてマウントレールに対する拘束を解除するようにした、係合機構とを有し、前記プッシュロッドは、搭載面の裏面側に中心軸に沿って、搭載面の裏面に設けたロッドブラケットを介して、表面パネル側から背面に向かって延在させ、前記リンクプレートと連結したプルアウトシェルフを提案する。
また本発明では、請求項３において、前記係合機構は、常時突出するように付勢された係合片を有し、この係合片を、前記リンクプレートによって、付勢力に抗して所定ストローク押し込み可能な押圧作動片を有して、この押圧作動片をリンクプレートによって押し込むことで、前記係合片を付勢力に抗してマウントレールに形成した係合切欠部から係合片を退動せしめてマウントレールに対する拘束を解除するようにし、前記マウントレールにおける係合切欠部は、すくなくともマウントレールの両端近傍に形成するプルアウトシェルフを提案する。
さらに本発明では、請求項４において、前記係合切欠部は、マウントレールの中間部の適所に形成するようにしたプルアウトシェルフを提案する。
【０００５】
【発明の実施の形態】
次に、本発明にかかるプルアウトシェルフについて、添付の図面に基づいて、以下説明する。
図１に重量機器搭載ラック１０を示し、この重量機器搭載ラック１０は、重量機器類を、多段にわたって出し入れ可能に搭載する構成としたもので、重量機器類を載置するための本発明にかかるプルアウトシェルフ１１，１２を引き出し収容可能に設ける構成としている。
前記ラック１０は、アルミニウム製の押し出し成形の柱部材１３によって、間口が所定の規格（ＪＩＳ，ＥＩＡ規格等）に基づいて組み立て形成した枠体に、スチール製の側板１４や、裏面パネル（図示省略）、天板（図示省略）そしてドア部材（図示省略）、他種々の必要部品を組み付けて構成したものである。
【０００６】
前記プルアウトシェルフ１１，１２は、重量機器類を載置するためのものであって、例えば打ち抜きプレス加工によって構成されており、プルアウトシェルフ１２には、小物置きとして用いられる出し入れ自在なトレイ１５が設けられている。
前記プルアウトシェルフ１１，１２のうち、プルアウトシェルフ１１について説明すると、図２，図３に示すようにプルアウトシェルフ１１は、ラック１０正面に面する表面パネル１６と、重量機器類の搭載面１７とを有する。
【０００７】
前記表面パネル１６には、図３に示すように図中縦方向の通気用スリット１８が多数形成されている。また、前記表面パネル１６には、プルアウトシェルフ１１を、ラック１０における収容位置、すなわち格納位置からラック１０前面側に引き出したり、前記所定格納位置に押し込んだりするための一対の取っ手１９，１９が設けられている。さらにこれら取っ手１９，１９間には、プルアウトシェルフ１１を格納位置や、引き出し位置、その他、任意の位置で固定する一方、固定解除するためのロック機構（後述）を構成するプッシュボタン２０が設けられている。
【０００８】
一方、前記搭載面１７には、搭載すべき重量機器類の足部を載置する凹部２１が設けられている。またかかる凹部２１には、重量機器類の足部を位置決め固定するための足固定ブラケット２２が、様々な重量機器類を搭載することができるように、調節可能に設けられている。この足固定ブラケット２２は、断面鉤型形状のもので、重量機器類の足部を当接可能に円弧状に形成した当接部２３と、前記凹部２１に接する基底部２４とを有し、この基底部２４を、凹部２１に形成した数本のスリット２５上を移動させて取り付け位置を調節し、基底部２４に設けた長穴２６を前記スリット２５に合わせた状態で固定するようにしている。
また搭載面１７の中央箇所の表面パネル１６に近接する箇所には、通気用の多数の通気穴２７が千鳥状に穿設されている。
【０００９】
以上のようなプルアウトシェルフ１１は、ラック１０における枠体に取り付けたマウントレール２８を介してスライド支持機構２９（以下、スライドレール２９）により出し入れ自在に支持されている。
前記スライドレール２９は、周知の２段引き構造のもので、図４に示すようにマウントレール２８側に取り付けられるキャビネットメンバー２９ａと、中間メンバ−２９ｂとを有し、前記キャビネットメンバー２９ａに対して中間メンバ−２９ｂをインナーメンバー２９ｃを介して移動自在に構成し、さらに前記中間メンバ−２９ｂに、プルアウトシェルフ１１側面側に取り付けられるインナーメンバー２９ｄを移動自在に設けた構成としている。
【００１０】
次に、プルアウトシェルフ１１を格納位置や、引き出し位置、その他、任意の位置で固定したり、解除したり操作するためのロック機構の一例を示し、説明する。
図５、図６に示すようにロック機構３０は、表面パネル１６から突出形成したプッシュボタン２０により軸方向に移動可能に取り付けた、長尺なプッシュロッド３１と、プッシュロッド３１先端に直交状態でねじ止めされた、幅狭のリンクプレート３２と、リンクプレート３２両端に当接して、リンクプレート３２両端によって押圧することにより、マウントレール２８から係合片（後述）を退動せしめてマウントレール２８に対する拘束を解除するようにした、係合機構３３，３３とを有する。
前記プッシュロッド３１は、搭載面１７の裏面側に中心軸に沿って、搭載面１７の裏面に設けたロッドブラケット３４を介して、表面パネル１６側から背面に向かって延在させ、前記リンクプレート３２と連結している。
前記係合機構３３は、周知の構造のもので、例えば常時突出するように付勢された係合片３３ａを有し、この係合片３３ａを、前記リンクプレート３２によって、付勢力に抗して所定ストローク押し込み可能な押圧作動片３３ｂを有している。すなわち、かかる押圧作動片３３ｂをリンクプレート３２によって押し込むことで、前記係合片３３ａを付勢力に抗してマウントレール２８に形成した係合切欠部３５から係合片３３ａを退動せしめてマウントレール２８に対する拘束を解除するようにしている。なお、マウントレール２８における係合切欠部３５は、すくなくともマウントレール２８の両端近傍に形成され、さらに、マウントレール２８の中間部の適所に形成することも可能である。
【００１１】
以上のようなプルアウトシェルフ１１に、重量機器Ｌを搭載するときは、プルアウトシェルフ１１の表面パネル１６におけるロック機構３０のプッシュボタン２０を押してマウントレール２８に対するプルアウトシェルフ１１の拘束を解除するようにし、一対の取っ手１９，１９をもってプルアウトシェルフ１１をラック１０における収容位置からスライドレール２９を作動させて、プッシュボタン２０から手を離した状態で引き出すことができる（図７参照）。そして、ロック機構３０における係合機構３３の係合片３３ａが、マウントレール２８におけるラック１０前面側に位置する係合切欠部３５にもたらされることで、前記係合片３３ａが付勢力により係合切欠部３５に係合し、プルアウトシェルフ１１を引き出し位置で固定することができる。
かかる状態で重量機器Ｌを前記プルアウトシェルフ１１における搭載面１７に搭載し、すなわち重量機器Ｌの足部Ｆを凹部２１に載置し、前記重量機器Ｌに合わせて基底部２４を凹部２１に形成した数本のスリット２５上を移動させて位置を調節すると共に固定した足固定ブラケット２２における円弧状の当接部２３に、前記重量機器Ｌの足部Ｆを当接するようにして、重量機器Ｌを載置することができる。この際、当接部２３は、円弧状に形成されているため、多少の位置ずれがあっても足部Ｆを固定することができる。
このように前記足固定ブラケット２２は、凹部２１において移動調節することができるので、様々な寸法の重量機器Ｌを所定位置に固定することができる（図８、図９、図１０参照）。
なお、前記マウントレール２８における係合切欠部３５をマウントレール２８の中間部の適所に設けるようにすれば、プルアウトシェルフ１１を中間の位置に固定保持することができる。
このように重量機器Ｌの搭載作業が容易であり、また、重量機器Ｌの保守点険時においても、従来のように、ビスを外して一旦重量機器Ｌを取り出すようなことはしなくても、プルアウトシェルフ１１をラック１０における収容位置から引き出すようにすればよく、前面側から背後の結線作業などが可能となり、取り扱い性が格段に向上する。
【００１２】
次に、小物置きとして用いられる出し入れ自在なトレイ１５を備えたプルアウトシェルフ１２について説明する。なお、かかるプルアウトシェルフ１２において、前述のプルアウトシェルフ１１と実質的に同様の構成要素には、同符号を付すものとする。
このプルアウトシェルフ１２では、図１１，図１２に示すように、表面パネル１６におけるロック機構３０のプッシュボタン２０の下側においてトレイ１５を進退可能に配置したもので、搭載面１７裏面側に形成した案内枠３６に格納可能にしている。かかる案内枠３６は、プッシュロッド３１を挿通させたロッドブラケット３４にトレイ１５の後端面が達するように設けられている（図１３参照）。
前記ロッドブラケット３４には、トレイ１５の後端面と当接してトレイ１５を搭載面１７裏面内に格納状態に保持する一方、表面パネル１６に露出している先端面を押圧することで、所定ストローク先端面を突出させるようにした磁石式保持手段３７が設けられている。かかる磁石式保持手段３７は周知の構成のもので、所定ストローク突出する作動ロッド３７ａを有している。この作動ロッド３７ａ先端にマグネット（図示省略）が植設されており、前記トレイ１５後端面に設けた磁性部材によって構成した受け部材３８を吸着することで保持したり、磁性力に抗して突き放す構成としている。前記作動ロッド３７ａを突出させることで、磁性力に抗してトレイ１５後端面を突き放し、前記トレイ１５を所望の位置まで引き出しやすいように構成したものである。
【００１３】
このような構造により、トレイ１５は、不使用時には、搭載面１７裏面側に格納しておくことができ、また、不用意にトレイ１５を突出させないようにしておくことができ、その一方で、表面パネル１６に露出している先端面を押圧することで、トレイ１５を所望の位置まで引き出しやすいように作動ロッド３７ａのストローク分先端面を突出させることができ、取り扱い性に優れたものとすることができる（図１４参照）。
なお、かかるプルアウトシェルフ１２においても、マウントレール２８における係合切欠部３５をマウントレール２８の中間部の適所に設けるようにすれば、プルアウトシェルフ１２を中間の位置に固定保持することができ、保守点検作業、結線作業等に供することができる。
【００１４】
【発明の効果】
以上のとおり、本発明によれば、ＡＶ機器、測定器具等の重量機器類を、容易に且つ安全に、ラック等に多段にわたって搭載できるようになり、しかも保守点検の際に、プルアウトシェルフをラックにおける収容位置から引き出すようにすればよく、前面側から背後の結線作業などが可能となり、取り扱い性が格段に向上する。すなわち、
（１）搭載物を実装するときに予め引き出したシェルフに載せることができることにより、重量のバランスのとれた場所を持つことができるので、安全に作業を行うことができる。
（２）シェルフ部分の左右は前後に溝状になっており、溝の中には搭載物の足を固定するブラケットのための固定穴が列状に開けてあり、広範囲の足位置に対応することができる。
（３）収容時、引き出し時の両方にロック機構があるため、フロント部をラックにビス止めする必要がなく、日常のメンテナンス時の引き出しが容易となる。
（４）ロック機構は簡単なリンク機構で一箇所を押すだけで左右のロックピンを作動させることができ、確実な固定状態が得られる。
（５）マウントレールのＵ字型切り欠きを任意の位置に明けることで固定位置を自在に変更することができる。
（６）抜き差しのできるスライドレールを使用したことによりユニットを三分割できラックへの取り付けが容易である。また、取り付け穴位置もパネルマウント用規格に準じているので、計算上メジャー等でわざわざ測らなくとも確実に取り付け位置を割り出すことができる。
（７）マウントレールの交換または変更でほとんどの１９インチ標準ラックに取り付けができる。
（８）トレイ付のものは、メモ書き、テ−プ載せ台として使用することができる。
【００１５】
【図面の簡単な説明】
【図１】本発明にかかるプルアウトシェルフを適用したラックの一例を示す、外観斜視説明図である。
【図２】図１に示すラックにおけるプルアウトシェルフの平面説明図である。
【図３】図１に示すラックにおけるプルアウトシェルフの正面説明図である。
【図４】図１に示すラックにおけるプルアウトシェルフの取り付け構造を示す、要部正面説明図である。
【図５】本発明にかかるプルアウトシェルフを格納位置、引き出し位置に固定保持するための、ロック機構の配置構成説明図である。
【図６】図５に示すロック機構の概略構成説明図である。
【図７】図１に示すラックにおけるプルアウトシェルフを引き出したところを示す、要部平面説明図である。
【図８】本発明にかかるプルアウトシェルフに重量機器を位置決め搭載したところを示す、模式的な要部正面図である。
【図９】本発明にかかるプルアウトシェルフに重量機器を位置決め搭載したところを示す、模式的な要部正面図である。
【図１０】本発明にかかるプルアウトシェルフに重量機器を位置決め搭載したところを示す、模式的な要部側面図である。
【図１１】本発明にかかるプルアウトシェルフの一例を示す、一部省略正面説明図である。
【図１２】図１１に示すプルアウトシェルフの平面説明図である。
【図１３】図１１に示すプルアウトシェルフを下面からの概観斜視説明図である。
【図１４】図１１に示すプルアウトシェルフの作用を説明するための模式図である。
【図１５】現行の重量機器のラックへの一つの搭載方法を示した、斜視説明図である。
【図１６】現行の重量機器のラックへの別の搭載方法を示した、斜視説明図である。
【図１７】現行の重量機器のラックへの別の搭載方法を示した、斜視説明図である。
【符号の説明】
１０                          重量機器搭載ラック
１１，１２                    プルアウトシェルフ
１３                          柱部材
１４                          側板
１５                          トレイ
１６                          表面パネル
１７                          搭載面
１８                          通気用スリット
１９                          取っ手
２０                          プッシュボタン
２１                          凹部
２２                          足固定ブラケット
２３                          当接部
２４                          基底部
２５                          スリット
２６                          長穴
２７                          通気穴
２８                          マウントレール
２９                          スライドレール
２９ａ                        キャビネットメンバー
２９ｂ                        中間メンバー
２９ｃ                        インナーメンバー
３０                          ロック機構
３１                          プッシュロッド
３２                          リンクプレート
３３                          係合機構
３３ａ                        係合片
３３ｂ                        作動片
３４                          ロッドブラケット
３５                          係合切欠部
３６                          案内枠
３７                          磁石式保持手段
３７ａ                        作動ロッド
３８                          受け部材
Ｌ                          重量機器
Ｆ                          足部
【図１】
0003599220.tif 000002
【図２】
0003599220.tif 000003
【図３】
0003599220.tif 000004
【図４】
0003599220.tif 000005
【図５】
0003599220.tif 000006
【図６】
0003599220.tif 000007
【図７】
0003599220.tif 000008
【図８】
0003599220.tif 000009
【図９】
0003599220.tif 000010
【図１０】
0003599220.tif 000011
【図１１】
0003599220.tif 000012
【図１２】
0003599220.tif 000013
【図１３】
0003599220.tif 000014
【図１４】
0003599220.tif 000015
【図１５】
0003599220.tif 000016
【図１６】
0003599220.tif 000017
【図１７】
0003599220.tif 000018